(57)【要約】  統合アクセス及びバックホール（ＩＡＢ）無線通信システムが、第１基地局、第２基地局、及び複数の遠隔無線通信ユニットを含み、第２基地局は、コアネットワークに対するアクセスを提供し、第１基地局は、第２基地局を介してコアネットワークに対するアクセスを要求する。第２基地局は、トランシーバ、及びトランシーバに動作的にカップリングされるプロセッサを含み、プロセッサは、第１基地局による使用のために、第１ランダムアクセスチャネル（ＲＡＣＨ）リソースを構成し、第２基地局にアクセスする複数の遠隔無線通信ユニットによる使用のために、第２ランダムアクセスチャネル（ＲＡＣＨ）リソースを構成するように配列され、構成された第２ ＲＡＣＨは、構成された第１ ＲＡＣＨと異なる。他信号と多重化されたポジショニング基準信号を送信することを含む長距離通信システムにおいて、ポジショニング基準信号を構成する方法がさらに開示される。
2021533706.tif 000002
【特許請求の範囲】
【請求項１】
複数の遠隔無線通信ユニットと通信する統合アクセス及びバックホール（ＩＡＢ）無線通信システムのための第２基地局であって、
トランシーバに動作的にカップリングされるプロセッサを含み、前記プロセッサは、
第１基地局による使用のために、第１ランダムアクセスチャネル（ＲＡＣＨ）リソースを構成し、
前記第２基地局にアクセスする複数の遠隔無線通信ユニットによる使用のために、第２ランダムアクセスチャネル（ＲＡＣＨ）リソースを構成するように配列され、
構成された第２ ＲＡＣＨは、構成された第１ ＲＡＣＨと異なる、第２基地局。
【請求項２】
前記構成された第１ ＲＡＣＨリソースは、構成された第２ ＲＡＣＨと比較し、ＲＡＣＨの異なるプリアンブルフォーマット、前記ＲＡＣＨの異なる時間構成、または前記ＲＡＣＨの異なる周波数構成のうち少なくとも一つを含む、請求項１に記載の第２基地局。
【請求項３】
前記構成された第１ ＲＡＣＨリソースは、前記構成された第２ ＲＡＣＨと比較し、ＲＡＣＨの異なるランダムアクセス周期性を含む、請求項１に記載の第２基地局。
【請求項４】
前記第１ ＲＡＣＨリソースは、前記第２ ＲＡＣＨリソースより低い周期性を割り当てられる、請求項３に記載の第２基地局。
【請求項５】
前記第２ ＲＡＣＨリソースは、前記第１ ＲＡＣＨリソース前の使用のために割り当てられる、請求項１に記載の第２基地局。
【請求項６】
複数の遠隔無線通信ユニットによって使用される第２アクセスリンクＲＡＣＨリソースから前記第１ ＲＡＣＨリソースを区別する前記第１基地局による使用のために、後続第１ ＲＡＣＨリソースを構成するように、前記プロセッサが配列される前、同一初期ＲＡＣＨアクセスが前記第１基地局、及び複数の遠隔無線通信ユニットのいずれにもよるアクセスのために可能になる、請求項１に記載の第２基地局。
【請求項７】
前記構成された第１ ＲＡＣＨリソースは、前記構成された第２ ＲＡＣＨと比較し、ＲＡＣＨの異なる直交多重化構成を含む、請求項１に記載の第２基地局。
【請求項８】
前記ＲＡＣＨの直交多重化構成は、アクセスリンクランダムアクセスリソース及びバックホールリンクランダムアクセスリソースの周波数多重化、アクセスリンクランダムアクセスリソース及びバックホールリンクランダムアクセスリソースの時間多重化のグループからの少なくとも一つを含む、請求項７に記載の第２基地局。
【請求項９】
前記ＲＡＣＨの直交時間多重化構成は、単一時間スロット内のアクセスリンクランダムアクセスリソース及びバックホールリンクランダムアクセスリソースの時間多重化、異なる時間スロットが割り当てられるアクセスリンクランダムアクセスリソース及びバックホールリンクランダムアクセスリソースの時間多重化、キャリア周波数の異なる帯域幅部分（ＢＷＰ）が割り当てられるアクセスリンクランダムアクセスリソース及びバックホールリンクランダムアクセスリソースの時間多重化のグループからの少なくとも一つを含む、請求項８に記載の第２基地局。
【請求項１０】
ＩＡＢ ＲＡＣＨを示すフラグが活性化され、無線リソース制御（ＲＲＣ）パラメータに追加され、多数のＲＡＣＨパラメータセットのグループから、無線リソース制御（ＲＲＣ）状態の少なくとも１つのＲＡＣＨ情報エレメント（ＩＥ）パラメータが構成され、ここで、前記少なくとも１つのＲＡＣＨ ＩＥパラメータは、ＲＡＣＨ−ConfigCommon、ＲＡＣＨ−ConfigGeneric、ＲＡＣＨ−ConfigDedicatedのグループからの少なくとも１つの拡張を含む、請求項１に記載の第２基地局。
【請求項１１】
前記少なくとも１つのＲＡＣＨ ＩＥパラメータの拡張は、新たなＲＲＣ ＩＥの定義、異なるＲＡＣＨセッティングを構成するための新たなパラメータの追加、ＲＡＣＨ構成間を区別するための、現在パラメータの値範囲の拡張のグループからの少なくとも一つを含む、請求項１０に記載の第２基地局。
【請求項１２】
第１基地局、第２基地局、及び複数の遠隔無線通信ユニットを含む統合アクセス及びバックホール（ＩＡＢ）無線通信システムにおけるランダムアクセスのための方法であって、前記第２基地局において、
第１基地局による使用のために、第１ランダムアクセスチャネル（ＲＡＣＨ）リソースを構成する段階と、
第２基地局にアクセスする複数の遠隔無線通信ユニットによる使用のために、第２ランダムアクセスチャネル（ＲＡＣＨ）リソースを構成する段階と、を含み、
構成された第２ ＲＡＣＨは、構成された第１ ＲＡＣＨと異なる、ＩＡＢ無線通信システムにおけるランダムアクセスのための方法。
【請求項１３】
第１基地局、第２基地局、及び複数の遠隔無線通信ユニットを含む統合アクセス及びバックホール（ＩＡＢ）無線通信システムにおけるランダムアクセスのための方法であって、遠隔無線通信ユニットにおいて、
第２ランダムアクセスチャネル（ＲＡＣＨ）リソース上において、第２基地局に対するランダムアクセスを開始する段階を含み、
構成された第２ ＲＡＣＨは、ランダムアクセス及びバックホールリンク通信のために、第１基地局による使用のために割り当てられる構成された第１ ＲＡＣＨとは異なる、ＩＡＢ無線通信システムにおけるランダムアクセスのための方法。
【請求項１４】
他信号と多重化されたポジショニング基準信号を送信する段階を含む長距離通信システムにおいて、ポジショニング基準信号を構成する段階をさらに含む、請求項１２に記載のＩＡＢ無線通信システムにおけるランダムアクセスのための方法。
【請求項１５】
他信号と多重化されたポジショニング基準信号を送信する段階は、他信号が送信される１以上のサブキャリアとは異なる、１以上のサブキャリア上のポジショニング基準信号の同時送信を含む、請求項１４に記載のＩＡＢ無線通信システムにおけるランダムアクセスのための方法。
【発明の詳細な説明】
【技術分野】
【０００１】
本発明は、統合アクセス及びバックホール（ＩＡＢ：integrated access and backhaul）通信システムにおけるランダムアクセス（random access）を具現することに関し、また本開示は、特定ユーザ装備（ＵＥ：user equipment）のロケーション情報を提供するために、モバイル遠距離通信ネットワークで使用されるロケーション基盤サービス（ＬＢＳ：location based services）における改善に関する。
【背景技術】
【０００２】
４世代（４Ｇ）通信システムの展開以後、増加した無線データトラフィックへの要求を充足するために、改善された５世代（５Ｇ）通信システムまたはｐｒｅ−５Ｇ通信システムを開発するための努力がなされた。５Ｇ通信システムまたはｐｒｅ−５Ｇ通信システムは、「４Ｇ以後（beyond ４Ｇ）ネットワーク」または「ポストＬＴＥ（post long term evolution）システム」とも称される。５Ｇ通信システムは、さらに高いデータレートを成就するために、さらに高い周波数（ｍｍＷａｖｅ）帯域、例えば、６０ＧＨｚ帯域で具現されると考えられる。電波の電波損失を減らし、送信距離を伸ばすために、ビームフォーミング、大規模ＭＩＭＯ（multiple-input multiple-output）、ＦＤ−ＭＩＭＯ（full dimensional ＭＩＭＯ）、アレイアンテナ、アナログビームフォーミング及び大規模アンテナの技法が５Ｇ通信システムについて論議される。また、５Ｇ通信システムにおいて、次世代小型セル、クラウドＲＡＮ（radio access networks）、超高密（ultra-dense）ネットワーク、Ｄ２Ｄ（device-to-device）通信、無線バックホール、ムービングネットワーク、協力通信、ＣｏＭＰ（coordinated multi-points）、受信端干渉除去などに基づき、システムネットワーク改善のための開発が進行中である。５Ｇシステムにおいて、ハイブリッドＦＳＫ（frequency shift keying）とＦＱＡＭ（Feher’s quadrature amplitude modulation）及びＳＷＳＣ（sliding window superposition coding）がＡＣＭ（advanced coding modulation）として、そしてＦＢＭＣ（filter bank multi carrier）、ＮＯＭＡ（non-orthogonal multiple access）及びＳＣＭＡ（sparse code multiple access）が高級アクセス技術として開発された。
【０００３】
人間が情報を生成して消費する人間中心連結性ネットワークであるインターネットは、今や、事物のような分散型エンティティが、人間介入なしに情報を交換してプロセッシングする事物インターネット（ＩｏＴ：internet of things）に進化している。クラウドサーバとの連結を介したＩｏＴ技術と、ビッグデータプロセッシング技術との組み合わせである万物インターネット（ＩｏＥ：internet of everything）が出現した。「感知技術」、「有線／無線通信及びネットワークインフラストラクチャ」、「サービスインターフェース技術」及び「保安技術」のような技術要素がＩｏＴ具現のために要求されるにより、センサネットワーク、Ｍ２Ｍ（machine-to-machine）通信、ＭＴＣ（machine type communication）などが最近研究されている。そのようなＩｏＴ環境は、連結された事物間に生成されるデータを収集して分析することにより、人間生活に新たな価値を新たに創出する知能型インターネット技術サービスを提供することができる。ＩｏＴは、現存の情報技術（ＩＴ：information technology）と、多様な産業的応用との収斂及び組み合わせを介し、スマートホーム、スマートビルディング、スマート図示、スマート自動車または連結型自動車、スマートグリッド、ヘルスケア、スマート家電機器及び次世代医療サービスを含む多様な分野に適用されうる。
【０００４】
それに合わせて、５Ｇ通信システムをＩｏＴネットワークに適用する多様な試みがなされた。例えば、センサネットワーク、ＭＴＣ及びＭ２Ｍ通信のような技術が、ビームフォーミング、ＭＩＭＯ及びアレイアンテナによっても具現される。前述のビッグデータプロセッシング技術としての、クラウドＲＡＮ上における応用は、５Ｇ技術とＩｏＴ技術との収斂一例とも見なされる。
【０００５】
前述のように、多様なサービスは、無線通信システムの発展によっても提供され、従って、そのようなサービスを手軽に提供する方法が要求される。
【発明の概要】
【課題を解決するための手段】
【０００６】
本開示は、統合アクセス及びバックホール通信システムにおけるランダムアクセスのための方法及び装置を提供する。
【図面の簡単な説明】
【０００７】
本開示のさらなる細部事項、様態及び実施形態が、例としてのみ図面を参照して説明される。図面において、類似した参照番号が、同じようであるか、あるいは機能的に類似したエレメント識別に使用される。図面におけるエレメントは、単純化及び明瞭化のために例示され、必ずしもスケール通り描かれているものではない。
【０００８】
【図１】統合アクセス及びバックホール（ＩＡＢ：integrated access and backhaul）を支援するように構成される公知された単純化された５Ｇアーキテクチャを例示する。
【図２】本発明の例によるＩＡＢを支援するように構成される単純化された５Ｇアーキテクチャを例示する。
【図３】本発明の一部例示的な実施形態によって適応されるＵＥのブロック図を例示する。
【図４】本発明の一部例示的な実施形態によって適応されるＩＡＢ基地局（または、ノード）のブロック図を例示する。
【図５】本発明の例による、アクセスリンクに対するランダムアクセスリソース割り当ての表現を例示する。
【図６】本発明の例による、バックホールリンクに対するランダムアクセスリソース割り当ての表現を例示する。
【図７】本発明の例による、ＴＤＭまたはＳＤＭを利用するＩＡＢリンクの表現を例示する。
【図８】本発明の例による、アクセスリンク及びバックホールリンクのランダムアクセスリソースの周波数多重化表現を例示する。
【図９】本発明の例による、アクセスリンク及びバックホールリンクのランダムアクセスリソースの時間多重化表現を例示する。
【図１０】本発明の例による、アクセスリンク及びバックホールリンクのランダムアクセスリソースの時間多重化表現を例示する。
【図１１】本発明の例によるキャリア帯域幅部分（ＢＷＰ：band width part）に係わるアクセスリンク及びバックホールリンクのランダムアクセスリソースの時間多重化表現を例示する。
【図１２】本発明の一部例示的な実施形態により、ＵＥ手続きの単純化されたフローチャートを例示する。
【図１３】本発明の一部例示的な実施形態により、ＩＡＢノード手続きのための第１方法の単純化されたフローチャートを例示する。
【図１４】本発明の一部例示的な実施形態により、ＩＡＢノード手続きのための第２方法の単純化されたフローチャートを例示する。
【図１５】本発明の実施形態による、データと多重化されるＰＲＳＲＢを図示する。
【図１６Ａ】本発明の一実施形態による、ＰＲＳパンクチャリングがあるＤＭＲＳ／ＰＴＲＳと多重化されたＰＲＳＲＢとを図示する。
【図１６Ｂ】本発明の一実施形態による、（ＰＲＳがシフトされた）ＤＭＲＳ／ＰＴＲＳと多重化されるＰＲＳＲＢを図示する。
【図１７】本発明の一実施形態による、ＳＳＢ及びＰＲＳの多重化を図示する。
【図１８】本開示の他の実施形態による、ユーザ装備の構造を例示するブロック図である。
【図１９】本開示の他の実施形態による、基地局の構造を例示するブロック図である。
【０００９】
通常の技術者は、図面でのエレメントが、単純化及び明瞭化のために例示され、必ずしもスケール通り描かれたものではないということを理解するであろう。例えば、図面におけるエレメント一部の寸法及び／または相対的ポジショニングは、本開示の多様な実施形態理解向上に一助となるために、他のエレメントに比べても誇張される。また、商業的に実現可能な実施形態において、有用であったり必要であったりする、一般的であるが、十分に理解されるエレメントは、本開示のそれら多様な実施形態の、あまり妨害されない一覧を容易にするために折々描写されるものではない。特定アクション及び／または段階は、特定発生順序で説明または描写されうる一方、本技術分野の通常の技術者が、シーケンスに係わるそのような特別さが実際に要求されるものではないということを理解するであろうということがさらに理解されるであろう。本開示で使用される用語及び表現は、異なる特定意味が、本開示において、異なって言及された場合を除けば、前述の技術分野の当業者により、そのような用語及び表現によるような一般的な技術的意味を有するということがさらに理解されるであろう。
【発明を実施するための形態】
【００１０】
本開示の一様態により、統合アクセス及びバックホール（ＩＡＢ：integrated access and backhaul）無線通信システムが、第１基地局、第２基地局、及び複数の遠隔無線通信ユニットを含み、該第２基地局は、コアネットワークに対するアクセスを提供し、該第１基地局は、該第２基地局を介し、コアネットワークに対するアクセスを要求し、該第２基地局は、トランシーバ、及びトランシーバに動作的にカップリングされるプロセッサを含み、該プロセッサは、該第１基地局による使用のために、第１ランダムアクセスチャネル（ＲＡＣＨ）リソースを構成し、該第２基地局にアクセスする複数の遠隔無線通信ユニットによる使用のために、該第２ランダムアクセスチャネル（ＲＡＣＨ）リソースを構成し、構成された第２ ＲＡＣＨリソースは、構成された第１ ＲＡＣＨリソースとは異なる。
【００１１】
構成された第１ ＲＡＣＨリソースは、構成された第２ ＲＡＣＨリソースと比較し、ＲＡＣＨの異なるプリアンブルフォーマットを含む。
【００１２】
構成された第１ ＲＡＣＨリソースは、構成された第２ ＲＡＣＨリソースと比較し、ＲＡＣＨの異なる時間構成を含む。
【００１３】
構成された第１ ＲＡＣＨリソースは、構成された第２ ＲＡＣＨリソースと比較し、ＲＡＣＨの異なる周波数構成を含む。
【００１４】
構成された第１ ＲＡＣＨリソースは、構成された第２ ＲＡＣＨリソースと比較し、ＲＡＣＨの異なるランダムアクセス周期性を含む。
【００１５】
第１ ＲＡＣＨリソースは、第２ ＲＡＣＨリソースより低い周期性を割り当てられる。
【００１６】
第２ ＲＡＣＨリソースは、第１ ＲＡＣＨリソース前の使用のために割り当てされる。
【００１７】
構成された異なるＲＡＣＨリソースは、シンボル、スロット、サブフレーム及びシステムフレーム番号（ＳＦＮ：system frame number）のグループからの少なくとも一つを含む。
【００１８】
複数の遠隔無線通信ユニットによって使用される第２アクセスリンクＲＡＣＨリソースから第１ ＲＡＣＨリソースを区別する第１基地局による使用のために、後続第１ ＲＡＣＨリソースを構成するように、プロセッサが配列される前、同一初期ＲＡＣＨアクセスが、第１基地局、及び複数の遠隔無線通信ユニットのいずれにもよるアクセスのために可能になる。
【００１９】
構成された第１ ＲＡＣＨリソースは、ランダムアクセス及びバックホールリンク通信のいずれにも係わる第１基地局による使用のために構成される。
【００２０】
構成された第１ ＲＡＣＨリソースは、構成された第２ ＲＡＣＨリソースと比較し、ＲＡＣＨの異なる直交多重化構成を含む。
【００２１】
ＲＡＣＨの直交多重化構成は、アクセスリンクランダムアクセスリソース及びバックホールリンクランダムアクセスリソースの周波数多重化、アクセスリンクランダムアクセスリソース及びバックホールリンクランダムアクセスリソースの時間多重化のグループからの少なくとも一つを含む。
【００２２】
ＲＡＣＨの直交時間多重化構成は、単一時間スロット内のアクセスリンクランダムアクセスリソース及びバックホールリンクランダムアクセスリソースの時間多重化、異なる時間スロットが割り当てられるアクセスリンクランダムアクセスリソース及びバックホールリンクランダムアクセスリソースの時間多重化、キャリア周波数の異なる帯域幅部分（ＢＷＰ）が割り当てられるアクセスリンクランダムアクセスリソース及びバックホールリンクランダムアクセスリソースの時間多重化のグループからの少なくとも一つを含む。
【００２３】
第１基地局は、マルチホップリレーバックホールリンクを形成するためのリレーノードを介し、無線バックホールリンクを支援するために、第２基地局とＲＡＣＨを遂行するように構成される。
【００２４】
第１基地局は、バックホールリンクが遮断されることに応答し、第２基地局とＲＡＣＨを遂行するように構成される。
【００２５】
ＩＡＢ ＲＡＣＨを示すフラグは、活性化され、無線リソース制御（ＲＲＣ）パラメータに追加され、多数のＲＡＣＨパラメータセットのグループから、無線リソース制御（ＲＲＣ）状態の少なくとも１つのＲＡＣＨ情報エレメント（ＩＥ）パラメータが構成され、ここで、少なくとも１つのＲＡＣＨ ＩＥパラメータは、ＲＡＣＨ−ConfigCommon、ＲＡＣＨ−ConfigGeneric、ＲＡＣＨ−ConfigDedicatedのグループからの少なくとも１つの拡張を含む。
【００２６】
少なくとも１つのＲＡＣＨ ＩＥパラメータの拡張は、新たなＲＲＣ ＩＥの定義、異なるＲＡＣＨセッティングを構成するための新たなパラメータの追加、ＲＡＣＨ構成間を区別するための、現在パラメータの値範囲の拡張のグループからの少なくとも一つを含む。
【００２７】
本開示の他の様態により、複数の遠隔無線通信ユニットと通信する統合アクセス及びバックホール（ＩＡＢ）無線通信システムのための第２基地局が提供され、該第２基地局は、トランシーバと動作的にカップリングされるプロセッサを含み、該プロセッサは、第１基地局による使用のために、第１ランダムアクセスチャネル（ＲＡＣＨ）リソースを構成し、第２基地局にアクセスする複数の遠隔無線通信ユニットによる使用のために、第２ランダムアクセスチャネル（ＲＡＣＨ）リソースを構成するように配列され、構成された第２ ＲＡＣＨリソースは、構成された第１ ＲＡＣＨリソースと異なる。
【００２８】
本開示の他の様態により、統合アクセス及びバックホール（ＩＡＢ）無線通信システムの遠隔無線通信ユニットが提供され、遠隔無線通信ユニットは、トランシーバ、及びトランシーバと動作的にカップリングされるプロセッサを含み、該プロセッサは、第２ランダムアクセスチャネル（ＲＡＣＨ）リソース上において、第２基地局に対するランダムアクセスを開始するように配列され、構成された第２ ＲＡＣＨは、ランダムアクセス及びバックホールリンク通信のために、第１基地局による使用のために割り当てられる構成された第１ ＲＡＣＨとは異なる。
【００２９】
本開示の他の様態により、第１基地局、第２基地局、及び複数の遠隔無線通信ユニットを含む統合アクセス及びバックホール（ＩＡＢ）無線通信システムにおけるランダムアクセスのための方法が提供され、その方法は、第２基地局において、第１基地局による使用のために、第１ランダムアクセスチャネル（ＲＡＣＨ）リソースを構成する段階、及び第２基地局にアクセスする複数の遠隔無線通信ユニットによる使用のために、第２ランダムアクセスチャネル（ＲＡＣＨ）リソースを構成する段階を含み、構成された第２ ＲＡＣＨリソースは、構成された第１ ＲＡＣＨリソースと異なる。
【００３０】
本開示の他の様態により、第１基地局、第２基地局、及び複数の遠隔無線通信ユニットを含む統合アクセス及びバックホール（ＩＡＢ）無線通信システムにおけるランダムアクセスのための方法が提供され、その方法は、遠隔無線通信ユニットにおいて、第２ランダムアクセスチャネル（ＲＡＣＨ）リソース上において、第２基地局に対するランダムアクセスを開始する段階を含み、構成された第２ ＲＡＣＨは、ランダムアクセス及びバックホールリンク通信のために、第１基地局による使用のために割り当てられる構成された第１ ＲＡＣＨと異なる。
【００３１】
本開示の他の様態により、他信号と多重化されたポジショニング基準信号（positioning reference signal）を送信する段階を含む長距離通信システムにおいて、ポジショニング基準信号を構成する方法が提供される。
【００３２】
他信号と多重化されたポジショニング基準信号を送信する段階は、他信号が送信される１以上のサブキャリアとは異なる、１以上のサブキャリア上のポジショニング基準信号の同時送信を含む。
【００３３】
ガード帯域は、ポジショニング基準信号が送信される１以上のサブキャリアと異なる信号が送信される１以上のサブキャリア間に提供される。
【００３４】
他信号は、データ及び基準信号のうち一つである。
【００３５】
基準信号は、ＤＭＲＳ及びＰＴＲＳのうち一つである。
【００３６】
ポジショニング基準信号は、ＣＳＩ−ＲＳ、ＤＭＲＳまたはＰＴＲＳとの衝突イベントにおいて、パンクチャリングされたりシフトされたりする。
【００３７】
ポジショニング基準信号がシフトされるイベントにおいて、それは、隣接リソースエレメントにシフトされる。
【００３８】
基準信号は、ＳＳＢである。
【００３９】
オフセットは、ポジショニング基準信号とＳＳＢとの間に導入される。
【００４０】
ＰＲＳ及び他信号の構成は、上部階層によって遂行されるか、あるいはセルまたはシステムパラメータから暗示的に導出される。
【００４１】
ポジショニング基準信号は、可聴力（hearability）を改善させるために、電力ブースティングされる。
【００４２】
近年、３世代（３Ｇ）無線通信が、時折４世代（４Ｇ）無線通信と称されるＬＴＥ（long term evolution）セルラ通信標準に進化した。３Ｇ技術及び４Ｇ技術のいずれも、３世代パートナーシッププロジェクト（３ＧＰＰＴＭ）標準を守る。４Ｇネットワーク及び４Ｇフォンは、ビデオストリーミング及びゲーミングのような活動のために、モバイルインターネットと、さらに速い速力を支援するように設計された。３ＧＰＰＴＭ標準は、今や５世代（５Ｇ）のモバイル無線通信を開発しており、それは、例えば、事業を鼓舞させ、ホーム内の通信を改善させ、無人自動車のような発展を先導するさらに良好な通信の伝達における段階変化を開始するように設定される。
【００４３】
将来のセルラネットワーク展開シナリオ及びアプリケーションを可能にすることをターゲットとする潜在的技術のうち一つは、伝送ネットワークを比例的稠密化する必要なしに、５Ｇの新無線（ＮＲ）セルの柔軟であって非常に密な展開を可能にする無線バックホール及びリレーリンクに対する支援である。ＮＲにおける大規模ＭＩＭＯ（multiple-in/multiple-out）システムまたはマルチビームシステムの本来の展開と共に、長期進化型ＬＴＥＴＭ（例えば、ｍｍＷａｖｅスペクトル）と比較し、ＮＲに対して利用可能な予想されるさらに大きい帯域幅により、統合アクセス及びバックホール（ＩＡＢ）リンクを開発して展開する機会が作られる。それは、ＵＥに対するアクセスを提供するために定義された多数の制御チャネル／手続き及びデータチャネル／手続きを構築することにより、自体バックホールされたＮＲセルの密なネットワークのさらに容易な展開をさらに統合された方式に許容することができるということが予想される。そのようなＩＡＢリンクを有するネットワークの例示的な図解が、図１に図示され、その図面において、ＩＡＢノード（または、リレーノード（ｒＴＲＰ）またはリレーＩＡＢノードであり、それら用語は、本開示で交換的に使用される）は、時間、周波数または空間（例えば、ビーム基盤動作）において、アクセス及びバックホールリンクを多重化するように構成される。
【００４４】
図１を参照すれば、公知された単純化された５Ｇアーキテクチャ図１００が、統合アクセス及びバックホール（ＩＡＢ）ネットワークが展開される方法を例示する。ここで、カバレージ領域１０４内の通信を支援する第１ ５Ｇ基地局１０２は、ユーザ装備（ＵＥ）１０６のような端末デバイスを時折指称する無線通信ユニットのための通信支援を含む。５Ｇにおいて、ＵＥ １０６は、伝統的な人間類型通信（ＨＴＣ：human type communications）、または新たに出現するマシン類型通信（ＭＴＣ：machine type communications）を支援することができる。公知された単純化されたアーキテクチャ図１００は、ＵＥ １１６に対する通信支援を含み、カバレージ領域１１４内の通信を支援する第２ ５Ｇ基地局１１２とＵＥ １２６とに対する通信支援を含み、カバレージ領域１２４内の通信を支援する第３ ５Ｇ基地局１２２を含む。一般的に、Ｘｎ（Ｘ２に基づく）インターフェースである無線バックホール連結１３２，１３３が、第３ ５Ｇ基地局１２２を、第１ ５Ｇ基地局１０２及び第２ ５Ｇ基地局１１２と連結させる。第３ ５Ｇ基地局１２２は、また光ファイバ１３４のようなさらに伝統的な有線連結を介し、コアネットワークに連結される。
【００４５】
それと係わり、ＩＡＢシナリオにおいて、ノードＡ（すなわち、第３ ５Ｇ基地局１２２）がドナー（donor）ＩＡＢノードと見なされ、ノードＢ（すなわち、第１ ５Ｇ基地局１０２）とノードＣ（すなわち、第２ ５Ｇ基地局１１２）とがリレーＩＡＢノードとして識別される。
【００４６】
ＩＡＢの主要目的のうち一つは、バックホールリンクにまたがるレイテンシ敏感トラフィックの短期遮断及び送信を収容する動的ルート選択を支援するために、無線アクセスネットワーク（ＲＡＮ：radio access network）基盤メカニズムを提供することである。この目的は、半二重（half-duplexing）制約条件下において、アクセスリンクとバックホールリンクとの間のリソース割り当て（ＲＡ：resource allocation）にも関係がある。ＮＲ標準には、定義された三種ＲＡモード、すなわち、時分する多重化（ＴＤＭ：time division multiplex）、周波数分割多重化（ＦＤＭ：frequency division multiplex）及び空間分割多重化（ＳＤＭ：space division multiplex）（例えば、ビーム基盤動作）がある。どのＲＡスキームが適用されても、発明者らは、通信（バックホール）障害が発生するとき、トポロジー管理のためのリレー間チャネルモニタリングに問題が常時存在するということを認識した。
【００４７】
ノードＢ及びＣがランダムアクセスを行うとき、それらは、ノードＡのカバレージ内のＵＥ、例えば、ＵＥ １２６と同一手続きを追従することができる。しかし、ノードＢとノードＡとのバックホールリンク１３２が遮断されれば、ノードＢは、マルチホップリレーネットワークを形成するために、ノードＣに連結される必要がある。そのような場合、ノードＢとノードＣとの距離は、ノードＣ ＵＥ １１６とノードＣ（すなわち、第２ ５Ｇ基地局１１２）との距離よりはるかに長くなりうる。ランダムアクセスプリアンブルフォーマットがセル半径によって決定されるので、ノードＣ ＵＥ １１６のために使用されるプリアンブルは、他のＩＡＢノード、例えば、ノードＢ（すなわち、第１ ５Ｇ基地局１０２）に適さなくもなる。
【００４８】
モバイルサービスに対する需要が迅速に拡張され、最も迅速に成長する部門のうち一つは、２つの主要要件である応急サービス及び常用アプリケーションにより、主に主導されるロケーション基盤サービス（ＬＢＳ：location based services）である。該応急サービスは、例えば、車両事故のイベント時、ＵＥのロケーションが知ることを望む。常用アプリケーションは、例えば、自体近辺のレストラン取引のような関連情報または広告がユーザに提示されうるように、ＵＥのロケーションを知ることを望む。
【００４９】
それら必要に応じ、２世代ネットワーク及び３世代ネットワーク（ＷＣＤＭＡ（登録商標）、ＧＳＭ、ＣＤＭＡ）は、自体の正確度及びＴＴＦＦ（time to first fix）性能が、多様なさまざまなポジショニング技術に対する支援を追加した。ＬＴＥのための３ＧＰＰリリース９は、次の多様なポジショニング技術に対する支援を定義する：ＥＣＩＤ（Extended Cell ＩＤ）、Ａ−ＧＮＳＳ（assisted global navigation satellite system）、ＯＴＤＯＡ（observedtimedifference of arrival）、及び新たなポジショニングプロトコルであるＬＰＰ（ＬＴＥ positioning protocol）。新たな基準信号、すなわち、ポジショニング基準信号（ＰＲＳ）が、この新たなプロトコルを支援するために、ＬＴＥと定義された。
【００５０】
さらに、ＬＴＥのリリース１１において、ＵＯＴＤＡ（uplink observed time different of arrival）は、サウンディング基準信号（ＳＲＳ：sounding reference signal）測定を使用して採択された。３ＧＰＰリリース１５は、ＬＴＥポジショニングの正確度を改善させるために、一部ＲＡＴ（radio access technology）独立的なポジショニング技法、言わば、ＲＴＫ（real time kinematic）ＧＮＳＳに対する支援を定義する。
【００５１】
本開示の実施形態は、ここで言及されているにしても、言及されていないにしても、先行技術において直面する問題を解決することを目標とする。
【００５２】
本開示の例は、ＩＡＢアーキテクチャにおいて、ＩＡＢノードに対するランダムアクセスの改善された効率のためのメカニズムを含む無線通信システムについて説明する。特に、本開示の例は、ＩＡＢノード及びＵＥに対し、異なるランダムアクセス構成を使用することを提案する。この概念内において、異なるプリアンブルフォーマットのそれぞれの使用、異なる時間／周波数構成のそれぞれの使用のように、ＩＡＢノード及びＵＥのランダムアクセスを区別するための多数の接近法が説明される。
【００５３】
本開示の例示的な実施形態が、５Ｇアーキテクチャにおいて、ＩＡＢノード及びＵＥに対する異なるランダムアクセス構成を参照して説明されるが、本開示の一部様態は、そのように制約／制限されないと予想される。例えば、異なるランダムアクセス構成が、長期進化（ＬＴＥＴＭ）システム、またはランダムアクセス技法を利用する他のそのような通信システムに対して制定されうるということが予想される。
【００５４】
例示的な実施形態は、ＦＲ２について説明されるが、ＩＡＢの主要焦点が、ＦＲ２上、すなわち、２４．２５ＧＨｚ〜５２．６ＧＨｚにあるためである。しかし、本開示で説明される例は、ＦＲ１、すなわち、４５０ＭＨｚ〜６ＧＨｚに同一に適用されうるということが予想される。
【００５５】
用語が、通信セルを含み、通信セルと同等であると見なされ、通信セルと交換可能な無線アクセスネットワークを参照し、例示的な実施形態、すなわち、通信システムの他の部分に全体的にアクセスすることができるセル内の通信の利便化が説明される。
【００５６】
本開示の第１様態において、第１基地局、第２基地局、及び複数の遠隔無線通信ユニットを含み、該第２基地局がコアネットワークに対するアクセスを提供し、該第１基地局が、該第２基地局を介し、コアネットワークに対するアクセスを要求する統合アクセス及びバックホール（ＩＡＢ）無線通信システムが説明される。該第２基地局は、トランシーバ、及びトランシーバに動作的にカップリングされるプロセッサを含み、該プロセッサは、第１基地局による使用のために、第１ランダムアクセスチャネル（ＲＡＣＨ）リソースを構成し、第２基地局にアクセスする複数の遠隔無線通信ユニットによる使用のために、第２ランダムアクセスチャネル（ＲＡＣＨ）リソースを構成するように配列され、構成された第２ ＲＡＣＨリソースは、構成された第１ ＲＡＣＨリソースと異なる。
【００５７】
この方式により、両無線遠隔通信ユニット、例えば、ＵＥ及びＩＡＢノードが、例えば、マルチホップリレー配列において、バックホールリンクを使用するための別途及び別個のＲＡＣＨ動作を構成することにより、特に、バックホールリンクが遮断されるとき、バックホールリンクのさらに効率的な使用が成就されうる。
【００５８】
オプション的な一部例において、例えば、５Ｇシステムにおいて、構成された第１ ＲＡＣＨリソースは、構成された第２ ＲＡＣＨリソースと比較し、ＲＡＣＨの異なるプリアンブルフォーマットを含んでもよい。オプション的な一部例において、構成された第１ ＲＡＣＨリソースは、構成された第２ ＲＡＣＨリソースと比較し、ＲＡＣＨの異なる時間構成を含んでもよい。オプション的な一部例において、構成された第１ ＲＡＣＨリソースは、構成された第２ ＲＡＣＨリソースと比較し、ＲＡＣＨの異なる周波数構成を含む。オプション的な一部例において、構成された第１ ＲＡＣＨリソースは、構成された第２ ＲＡＣＨリソースと比較し、ＲＡＣＨの異なるランダムアクセス周期性を含んでもよい。オプション的な一部例において、第１ ＲＡＣＨリソースは、第２ ＲＡＣＨリソースより低い周期性を割り当てられうる。オプション的な一部例において、第２ ＲＡＣＨリソースは、第１ ＲＡＣＨリソース前の使用のためにも割り当てられる。さらに、ＩＡＢノード間の連結が、第１ランダムアクセス後に維持される必要があるので、ＵＥ及びＩＡＢノードに対し、同一ランダムアクセス周期性を維持する必要がなく、従って、ＵＥランダムアクセスと比較するとき、さらに少なくランダムアクセスが要求される。
【００５９】
オプション的な一部例において、構成された異なるＲＡＣＨリソースは、シンボル、スロット、サブフレーム及びシステムフレーム番号（ＳＦＮ）のグループからの少なくとも一つを含んでもよい。オプション的な一部例において、複数の遠隔無線通信ユニットによって使用される第２アクセスリンクＲＡＣＨリソースから、第１ ＲＡＣＨリソースを区別する第１基地局による使用のために、後続第１ ＲＡＣＨリソースを構成するように、プロセッサが配列される前、同一初期ＲＡＣＨアクセスが、第１基地局、及び複数の遠隔無線通信ユニットのいずれにもよるアクセスのために可能にもなる。オプション的な一部例において、構成された第１ ＲＡＣＨリソースは、ランダムアクセス及びバックホールリンク通信のいずれにも係わる第１基地局による使用のためにも構成される。オプション的な一部例において、構成された第１ ＲＡＣＨリソースは、構成された第２ ＲＡＣＨリソースと比較し、ＲＡＣＨの異なる直交多重化構成を含んでもよい。オプション的な一部例において、ＲＡＣＨの直交多重化構成は、アクセスリンクランダムアクセスリソース及びバックホールリンクランダムアクセスリソースの周波数多重化、アクセスリンクランダムアクセスリソース及びバックホールリンクランダムアクセスリソースの時間多重化のグループからの少なくとも一つを含む。オプション的な一部例において、ＲＡＣＨの直交時間多重化構成は、単一時間スロット内のアクセスリンクランダムアクセスリソース及びバックホールリンクランダムアクセスリソースの時間多重化、異なる時間スロットが割り当てられるアクセスリンクランダムアクセスリソース及びバックホールリンクランダムアクセスリソースの時間多重化、キャリア周波数の異なる帯域幅部分（ＢＷＰ）が割り当てられるアクセスリンクランダムアクセスリソース及びバックホールリンクランダムアクセスリソースの時間多重化のグループからの少なくとも一つを含んでもよい。
【００６０】
オプション的な一部例において、第１基地局は、マルチホップリレーバックホールリンクを形成するためのリレーノードを介し、無線バックホールリンクを支援するために、第２基地局とＲＡＣＨを遂行するようにも構成される。オプション的な一部例において、第１基地局は、バックホールリンクが遮断されることに応答し、第２基地局とＲＡＣＨを遂行するようにも構成される。
【００６１】
オプション的な一部例において、多数のＲＡＣＨパラメータセットのグループから、無線リソース制御（ＲＲＣ）状態の少なくとも１つのＲＡＣＨ情報エレメント（ＩＥ）パラメータが構成され、ここで、少なくとも１つのＲＡＣＨ ＩＥパラメータは、ＲＡＣＨ−ConfigCommon、ＲＡＣＨ−ConfigGeneric、ＲＡＣＨ−ConfigDedicatedのグループからの少なくとも１つの拡張を含む。オプション的な一部例において、少なくとも１つのＲＡＣＨ ＩＥパラメータの拡張は、新たなＲＲＣ ＩＥの定義、異なるＲＡＣＨセッティングを構成するための新たなパラメータの追加、ＲＡＣＨ構成間を区別するための、現在パラメータの値範囲の拡張のグループからの少なくとも一つを含んでもよい。
【００６２】
本開示の第２様態において、第１様態による統合アクセス及びバックホール（ＩＡＢ）無線通信システムのための第２基地局が説明される。
【００６３】
本開示の第３様態において、第１様態による統合アクセス及びバックホール（ＩＡＢ）無線通信システムのためのＵＥのような遠隔無線通信ユニットが説明される。
【００６４】
本開示の第４様態において、第２様態による、第２基地局によって遂行される統合アクセス及びバックホール（ＩＡＢ）無線通信システムにおけるランダムアクセスのための方法が説明される。
【００６５】
本開示の第５様態において、第３様態による、ＵＥのような遠隔無線通信ユニットによって遂行される統合アクセス及びバックホール（ＩＡＢ）無線通信システムにおけるランダムアクセスのための方法が説明される。
【００６６】
本開示の第６様態において、他信号と多重化されたポジショニング基準信号を送信する段階を含む長距離通信システムにおいて、ポジショニング基準信号を構成する方法が提供される。
【００６７】
ここで、図２を参照するならば、本開示の１つの例示的な実施形態により、無線通信システム２００の一部が概略的に図示される。無線通信システム２００は、別途のＲＡＣＨが、ＩＡＢノード、例えば、バックホールリンクまたはＲＡＣＨアクセスを要求するリレーＩＡＢノードと、ＲＡＣＨアクセスを要求するＵＥとによる使用のために提供される、統合アクセス及びバックホール（ＩＡＢ）ネットワークが、本開示の１つの例示的な実施形態によって展開されうる方法を例示する。ここで、ドナーＩＡＢノードＡ（時折、親ＩＡＢノードと称される）２２２が、ユーザ装備（ＵＥ）２２６のような端末デバイスと時折称される無線通信ユニットから、第１アクセス制御ＲＡＣＨ要請２５０を受信するように構成される。本開示の脈絡において、リレーＩＡＢノードＢ（例えば、５Ｇ基地局）２０２がドナーＩＡＢノードにアクセスし、バックホールリンク「ＡＢ」２３２を形成するために、別途の第２ ＲＡＣＨを使用する。そのようなバックホールリンクは、通信物を第２ ＵＥＢ ２０６に／からさらに運搬することができ、第２ ＵＥは、リレーＩＡＢノードＢ２０２に連結するために、ＲＡＣＨアクセス２５５を使用した。
【００６８】
類似して、追加のリレーＩＡＢノードＣ（例えば、５Ｇ基地局）２１２が、別途のＲＡＣＨを使用し、リレーＩＡＢノードＢ２０２にアクセスし、バックホールリンク「ＢＣ」２３５を形成し、その後、バックホールリンク「ＡＢ」２３２に結合することにより、ドナーＩＡＢノードにアクセスする。そのようなバックホールリンクは、通信物を第３ ＵＥＣ２１６に／からさらに運搬することができ、第３ ＵＥＣは、追加のリレーＩＡＢノードＣ２１２に連結するために、ＲＡＣＨアクセス２６０を使用した。特に、本開示の例は、ＩＡＢノード及びＵＥ２２６のようなＵＥに対し、異なるランダムアクセス構成を使用することを提案する。この概念内において、異なるプリアンブルフォーマットのそれぞれの使用、異なる時間／周波数構成のそれぞれの使用のように、ＩＡＢノード及びＵＥのランダムアクセスを区別するための多数の接近法が説明される。
【００６９】
本開示の１つの例により、ＩＡＢノード２０２，２１２及びＵＥ ２２６のようなＵＥには、受信者（ドナー）ＩＡＢノード２２２に、ＲＡＣＨが、例えば、バックホール障害により、他のＩＡＢノード２０２から放出されているか否かということ、またはＲＡＣＨがＵＥ ２２６から放出されているか否かということを識別するために、ＲＡＣＨ内の異なるプリアンブルフォーマットが割り当てられる。本開示の他の例により、ＩＡＢノード２０２，２１２及びＵＥ、言わば、ＵＥ ２２６には、受信者（ドナー）ＩＡＢノード２２２にＲＡＣＨが、例えば、バックホール障害により、他のＩＡＢノード２０２から放出されているか否かということ、またはＲＡＣＨがＵＥ ２２６から放出されているか否かということを識別するために、ＲＡＣＨ内の異なる時間構成及び／または周波数構成が割り当てられる。
【００７０】
本開示の脈絡において、ＩＡＢ使用とＵＥ使用との間に分けられるプリアンブルフォーマットの選択は、公知されたプリアンブルフォーマットによってもなる。ＦＲ２のためのプリアンブルフォーマットは、６．３．３．１−２にある３ＧＰＰ標準から、下記［表１］に定義される：
【００７１】
【表１】
2021533706.tif 000003
【００７２】
アクセスリンク及びバックホールリンクは、ランダムアクセスリンク予算及びプリアンブルＣＰ（cyclic prefix）長に対して異なる要件を有する。例えば、ランダムアクセスリンク予算は、ランダムアクセス署名の繰り返しレベル、すなわち、Ｎｕに関係がある。ＣＰ長、すなわち、
【数１】
2021533706.tif 000004
はセルサイズを決定し、それらパラメータは、３ＧＰＰ ＴＳ ３８．２１３で定義される。
【００７３】
さらに、アクセスリンク、言わば、アクセスリンク（ＡＡ）２５０は、さらに低い送信電力のため、ＩＡＢノード２０２とのバックホールリンクＡＢ２３２よりさらに高いランダムアクセスリンク予算を要求する。しかし、それは、さらに短いＣＰ長をまた要求するが、ＵＥ ２２６と、それに関連するＩＡＢノード２２２との距離が、２つのＩＡＢノード（２２２、２０２）間のものより短いためである。それと係わり、本開示の例は、いわゆる、他のＩＡＢに対するＩＡＢ ＲＡＣＨアクセスのためのプリアンブルＣ２フォーマットを使用することを提案するが、Ｃ２が、アクセスリンク及びバックホールリンクのいずれにも構成される最も長いＣＰを含むためである。従って、Ｃ２プリアンブルフォーマットは、２つのＩＡＢノード間の最大距離として、９．３ｋｍを支援することができる。しかし、ランダムアクセス署名が４回だけ反復されるので、リンク予算は、アクセスリンクに十分ではないのである。一方、１２回反復されるプリアンブルＢ４フォーマットが構成されれば、アクセスリンク予算は、４．７ｄＢほど改善されうるが、支援される最大距離がほぼ半分であり、従って、図２のＩＡＢノードＢは、ＩＡＢノードＣとの連結を確立しえない。従って、本開示の例は、ほとんどのインスタンスにおいて、ＩＡＢノード具現例において選択されうる特定優勢な条件に依存し、異なるプリアンブルフォーマットを採択することを提案する。
【００７４】
図３は、ＵＥ ３００内の受信チェーンと送信チェーンとの隔離を提供するアンテナスイッチまたはデュプレクサ３０４にカップリングされる、送信物を提供するためのアンテナ３０２を含むユーザ装備（ＵＥ） ３００のような無線通信ユニットのハイレベルブロック図を例示する。当該技術分野で知られているような１以上の受信器チェーンは、受信器フロントエンド回路３０６（受信、フィルタリング、及び中間帯域周波数または基底帯域周波数の変換を効果的に提供する）を含む。受信器フロントエンド回路３０６は、信号プロセッシングモジュール３０８（一般的に、デジタル信号プロセッサ（ＤＳＰ）によって実現される）にカップリングされる。当業者は、受信器回路またはコンポーネントの統合レベルが、一部インスタンスにおいて、具現例依存的でもあるということを理解するであろう。
【００７５】
制御器３１４は、無線通信ユニット３００の全体動作制御を維持する。制御器３１４は、受信器フロントエンド回路３０６と信号プロセッシングモジュール３０８とにさらにカップリングされる。一部例において、制御器３１４は、周波数生成回路３１７と、動作体制、言わばデコーディング／エンコーディング機能、同期化パターン、コードシーケンスなどを選択的に保存するメモリデバイス３１６とにさらにカップリングされる。タイマ３１８は、ＵＥ ３００内の動作（例えば、時間依存的な信号の送信または受信）のタイミングを制御するために、制御器３１４に動作的にカップリングされる。
【００７６】
送信チェーンと係わり、それは、本質的に、アンテナ３０２、アンテナアレイ、または複数のアンテナに、送信器／変調回路３２２及び電力増幅器３２４を介し、直列にカップリングされる入力モジュール３２０を含む。送信器／変調回路３２２と電力増幅器３２４は、制御器３１４に動作的に応答する。
【００７７】
送信チェーンにおける信号プロセッサモジュール３０８は、受信チェーンにおける信号プロセッサとは別個にも具現される。代案として、単一プロセッサが図３に図示されているように、送信信号及び受信信号のいずれものプロセッシングを具現するのに使用されうる。明らかに、無線通信ユニット３２５内の多様なコンポーネントは、個別的、または統合されたコンポーネント形態にも実現され、従って、窮極的な構造は、アプリケーション特定または設計選択になる。
【００７８】
本開示の例により、ＩＡＢノードのプロセッサ３０８及びトランシーバ（例えば、送信器／変調回路３２２）は、ＵＥ ＲＡＣＨを、他のＩＡＢノードから受信者ＩＡＢノードで受信される他のＲＡＣＨから区別するために、ＵＥ特定プリアンブルフォーマットで構成されるＲＡＣＨを使用することにより、ＩＡＢアーキテクチャの他のＩＡＢノード（例えば、５ＧｇＮＢ）と通信するように構成される。プロセッサ３０８と受信器フロントエンド回路３０６は、ＵＥ特定プリアンブルフォーマットに応答し、成功に至るＲＡＣＨ試みの確認応答を受信するようにさらに構成される。
【００７９】
本開示の例により、ＵＥのプロセッサ３０８及びトランシーバ（例えば、送信器／変調回路３２２）は、ＵＥ ＲＡＣＨを他のＩＡＢノードＲＡＣＨから区別するために、ＵＥ特定時間及び／または周波数構成で構成されるＲＡＣＨを使用することにより、ＩＡＢアーキテクチャのＩＡＢノードと通信するように、付加的または代案的に構成される。この例において、プロセッサ３０８と受信器フロントエンド回路３０６は、ＵＥ特定時間及び／または周波数構成に応答し、成功に至るＲＡＣＨ試みの確認応答を受信するように構成される。
【００８０】
さて、図４を参照すれば、ＩＡＢノード（例えば、５Ｇ無線基地局）４００のハイレベルブロック図が例示され、ここで、ＩＡＢノード４００が、本開示の一部例示的な実施形態によって適応された。ＩＡＢノード４００は、ＩＡＢノード４００内の受信チェーンと送信チェーンとの隔離を提供するアンテナスイッチまたはデュプレクサ４０４にカップリングされる、送信物を受信するためのアンテナ４０２を含む。当該技術分野で知られているような１以上の受信器チェーンは、受信器フロントエンド回路４０６（受信、フィルタリング、及び中間帯域周波数または基底帯域周波数の変換を効果的に提供する）を含む。受信器フロントエンド回路４０６は、信号プロセッシングモジュール４０８（一般的に、デジタル信号プロセッサ（ＤＳＰ）によって実現される）にカップリングされる。当業者は、受信器回路またはコンポーネントの統合レベルが、一部インスタンスにおいて、具現例依存的でもあるということを理解するであろう。
【００８１】
制御器４１４は、ＩＡＢノード４００の全体動作制御を維持する。制御器４１４は、受信器フロントエンド回路４０６と信号プロセッシングモジュール４０８とにさらにカップリングされる。一部例において、制御器４１４は、周波数生成回路４１７と、動作体制、言わば、デコーディング／エンコーディング機能、同期化パターン、コードシーケンスなどを選択的に保存するメモリデバイス４１６にさらにカップリングされる。タイマ４１８は、ＩＡＢノード４００内の動作（例えば、時間依存的な信号の送信または受信）のタイミングを制御するために、制御器４１４に動作的にカップリングされる。
【００８２】
送信チェーンと係わり、それは、本質的に、アンテナ４０２、アンテナアレイ、または複数のアンテナに、送信器／変調回路４２２及び電力増幅器４２４を介し、直列にカップリングされる入力モジュール４２０を含む。送信器／変調回路４２２と電力増幅器４２４は、制御器４１４に動作的に応答する。送信チェーンにおける信号プロセッサモジュール４０８は、受信チェーンにおける信号プロセッサとは別個にも具現される。代案として、単一プロセッサが、図４に図示されているように、送信信号及び受信信号のいずものプロセッシングを具現するのに使用されうる。明らかに、ＩＡＢノード４００内の多様なコンポーネントは、個別的、または統合されたコンポーネント形態にも実現され、従って、窮極的な構造は、アプリケーション特定または設計選択になる。
【００８３】
本開示の例により、ＩＡＢのプロセッサ４０８及びトランシーバ（例えば、送信器／変調回路４２２）は、ＵＥから受信者ＩＡＢノードで受信される他のＲＡＣＨからＩＡＢノードＲＡＣＨを区別するために、ＩＡＢノード特定プリアンブルフォーマットで構成されるＲＡＣＨを使用することにより、ＩＡＢアーキテクチャの他のＩＡＢノードと通信するように構成される。プロセッサ４０８と受信器フロントエンド回路４０６は、ＩＡＢノード特定プリアンブルフォーマットに応答し、成功に至るＲＡＣＨ試みの確認応答を受信するようにさらに構成される。
【００８４】
本開示の例により、ＩＡＢノードのプロセッサ４０８及びトランシーバ（例えば、送信器／変調回路４２２）は、ＩＡＢノードＲＡＣＨをＵＥ ＲＡＣＨから区別するために、ＩＡＢノード特定時間及び／または周波数構成で構成されるＲＡＣＨを使用することにより、ＩＡＢアーキテクチャのＩＡＢノードと通信するように、付加的または代案的に構成される。この例において、プロセッサ４０８と受信器フロントエンド回路４０６は、ＩＡＢノード特定時間及び／または周波数構成に応答し、成功に至るＲＡＣＨ試みの確認応答を受信するように構成される。
【００８５】
ＩＡＢとＵＥとのアクセス要請を区別するための異なる時間／周波数ＲＡＣＨ構成：
【００８６】
１つのＩＡＢノード、例えば、図２のＩＡＢノードＣと関連するＵＥの数は、ＩＡＢノードＣに連結されるＩＡＢノードの数よりさらに多くもなる。事実上、実際、親ＩＡＢノード（すなわち、リレーＩＡＢノードにサービスを提供するＩＡＢノード）に連結されると予想される非常に制限された数のＩＡＢノードだけがあることになる。ＮＲにおいて、シンボル、スロット、サブフレーム及びシステムフレーム番号（ＳＦＮ）の側面における一部リソースは、図５に図示されているような物理的ランダムアクセスチャネル（ＰＲＣＨ：physical random acces schannels）に割り当れられ、そのようなリソースの周期性は、短く、ＵＥは、過度に多くの衝突を誘発することなしに、可能な限り迅速に自体のランダムアクセスプリアンブルを送信することができる。従って、図５をここで参照するならば、本開示の例による、異なるタイムスロットを使用したアクセスリンクのためのランダムアクセスリソース割り当ての表現５００が例示される。例えば、図５は、スロットｉ ５１０とスロット（ｉ＋２）５１４とがＰＲＡＣＨ ５２０に割り当てられる５Ｇサブフレームであるということを例示する。例えば、１つの（親）ＩＡＢノードと関連するＵＥの数がＩＡＢノードの数よりさらに多い可能性があるので、本開示の例は、ＩＡＢノードに対するＲＡＣＨ割り当てと比較し、さらに頻繁なタイムスロットにおいて、さらに多くのＰＲＡＣＨ機会がＵＥに割り当てられることを提案する。
【００８７】
従って、ＩＡＢノードランダムアクセスの場合、衝突確率は、制限された数のＩＡＢノードによってさらに低い。それにより、連続して使用されるＲＡＣＨスロット間のそのようなリソース周期性は、図６に図示されているように、さらに大きく構成されうる。図６をここで参照するならば、本開示の例による、ＩＡＢノードに対するバックホールリンクのためのランダムアクセスリソース割り当ての表現６００が例示される。ここで、スロットｉ ６１０とスロット（ｉ＋４）６１８とがＩＡＢノードによる使用のために、ＰＲＡＣＨ６２０に割り当てられる５Ｇサブフレームであることが例示される。
【００８８】
本開示の一部例において、いったん初期ＲＡＣＨアクセスが完了すればＩＡＢノードＲＡＣＨは、ＵＥ ＲＡＣＨと区別されうるということが予想される。この第１の場合において、ＩＡＢノードがＵＥであるように、ＩＡＢノードは、初めにランダムアクセス（ＲＡ）手続きを遂行することが予想される。従って、この例において、ＩＡＢノードは、ＵＥによる使用のために、予想されるところと同一ＲＡＣＨプリアンブルフォーマットだけではなく、時間・周波数リソースを使用することができる。しかし、ＩＡＢノードが、いわゆる、下部階層シグナリング（例えば、ＤＣＩ）または上部階層シグナリング（例えば、ＭＡＣＣＥまたはＲＲＣ）を介し、自体の親ＩＡＢノードによって構成され、バックホールリンクに割り当てられた無線リソースを認識し、いったん初期アクセスが完了すれば、親ＩＡＢノードは、バックホールのために、ＲＡＣＨリソースを割り当てることができる。この例において、それら後続して割り当てられるバックホールリソースは、アクセスリンクＲＡＣＨリソースと区別され、従って、バックホールのために、ＩＡＢノードによっても使用される。
【００８９】
従って、この例において、次の２つのステージが遂行される：第１の初期ランダムアクセスステージ、及び初期ランダムアクセス後の第２のランダムアクセスステージ。第１の初期ランダムアクセスステージにおいて、ＩＡＢノードは、アクセスリンクランダムアクセスリソース／プリアンブルフォーマットを、バックホールリンクランダムアクセスリソース／プリアンブルフォーマットから区別することができない。従って、そのような情報は、親ノードによってブロードキャストされる。第２のランダムアクセスステージにおいて、ＩＡＢノードは、バックホールリンクリソースを識別する。
【００９０】
図７は、本開示の前述の例による、ＴＤＭ ７００またはＳＤＭ ７５０を利用するＩＡＢリンクの表現を例示する。第１ ＴＤＭ ７００例において、第１アクセスチャネル（ＡＣ１）７２０が、ダウンリンクスロット７１０とアップリングクスロット７１２とを含む。いったん初期アクセスが完了すれば、親ＩＡＢノードは、バックホール使用のために、第１ ＲＡＣＨリソースを割り当て（例えば、第１バックホールリンクリソース（ＢＨ１）７３０を割り当てる）、アクセス使用のために、第２ ＲＡＣＨリソースを割り当て（例えば、第２アクセスリンクリソース（ＡＣ２）７４０を割り当てる）、それにより、７３５ ＵＥ ＲＡＣＨとＩＡＢ ＲＡＣＨとが区別されうる。
【００９１】
第２ ＳＤＭ ７５０例において、第１アクセスチャネル（ＡＣ１）７７０が、ダウンリンクスロット７６０とアップリングクスロット７６２をさらに含む。いったん初期アクセスが完了すれば、親ＩＡＢノードは、バックホール使用のために、第１ ＲＡＣＨリソースを割り当てることができる（例えば、バックホールリンクリソースが、ダウンリンクのための奇数スロット番号、及びアップリンクのための偶数スロット番号を使用することを可能にさせる構造を、第１バックホールリンクリソース（ＢＨ１）７８０に割り当てることができる）。一方、親ＩＡＢノードは、バックホールリンクリソースから区別されるアクセス使用のために、第２ ＲＡＣＨリソースを割り当てることができる（例えば、アクセスリンクリソースが、アップリングクのための奇数スロット番号、及びダウンリンクのための偶数スロット番号を使用することを可能にさせる構造を、第２アクセスリンクリソース（ＡＣ２）７９０に割り当てることができる）。
【００９２】
ＴＤＭの場合、アクセスラインＡＣ１及びＢＨリンクＢＨ１は、スロットｉ（ＤＬ）及びスロットｉ＋１（ＵＬ）において、依然として、同一時間・周波数リソースを使用するということが分かる。ＳＤＭの場合、スロットｉ＋１において、同一時間・周波数リソースがアクセスリンクＡＣ１（ＵＬ）、バックホールリンクＢＨ１（ＵＬ）及びアクセスリンクＡＣ２（ＤＬ）によって実際に使用される。両スキームの場合、ＡＣ１及びＢＨ１は、ＲＡＣＨリソースが割り当られなければならないＵＬのために、スロット（ｉ＋１）において、同一時間・周波数リソースを使用する。この場合、バックホールリソース及びアクセスリソースは、重畳されると予想され、従って、区別されることがない。そのために、直交多重化は、そのような潜在的なリソース衝突問題を解決するために、異なるプリアンブルフォーマット／周期性構成が、アクセスリンク及びバックホールリンクランダムアクセスのために、必要ならば、適用されなければならない。
【００９３】
本開示の一部例において、直交多重化が、ＲＡＣＨのＩＡＢノード使用と、ＲＡＣＨのＵＥ使用とを区別するためにも採用される。一部例において、それぞれアクセス及びバックホールリンクによって必要な異なるプリアンブルフォーマットは、時間及び／または周波数の側面において、アクセスリンク及びバックホールリンクランダムアクセスのために、直交リソースをさらに構成することができるということが予想される。一部例において、そのような直交多重化は、ＲＡＣＨ手続きの開始部分からも採用される。
【００９４】
本開示の第１直交多重化例において、直交多重化は、図８に例示されているように、周波数ドメインで遂行される。図８は、本開示の例による、アクセスリンクランダムアクセスリソース８３０及びバックホールリンクランダムアクセスリソース８２０の周波数多重化表現８００の１つの例を図示する。この例において、アクセスリンクＰＲＡＣＨ及びバックホールリンクＰＲＡＣＨのいずれも、同一（または、事実上異なる）時間ロケーション、例えば、シンボルを利用することができる。しかし、アクセスリンクランダムアクセスリソース８３０とバックホールリンクランダムアクセスリソース８２０は、図８に図示されているように、２つの異なる周波数８３２，８２２における使用により、常時分離して区別されるであろう。ＮＲにおいて、最大Ｎの多数のＰＲＡＣＨリソースを構成するのがすでに可能である。従って、一部例において、ビットマップは、ＩＡＢのために使用されるＰＲＡＣＨリソースを示すのにも使用されるか、あるいは代案として、ceiling（ｌｏｇ２（Ｎ））ビットは、ＩＡＢのために使用される１つのＰＲＡＣＨリソースを示すのに使用されうるということが予想される。
【００９５】
本開示のこの第１直交多重化例の１つの利点は、バックホールリンクランダムアクセスが、アクセスリンクランダムアクセスとは完全に別個でありうるという意味において、最大柔軟性を提供することができるというものである。しかし、この第１直交多重化例は、ＰＲＡＣＨに割り当てられたさらに多くのリソースを要求する。
【００９６】
本開示の第２直交多重化例において、直交多重化は、アクセスＰＲＡＣＨのための時間リソースの一部が、バックホールＰＲＡＣＨのために使用される図９に例示されているように、時間ドメインで遂行される。図９は、本開示の例による、アクセスリンク及びバックホールリンクのランダムアクセスリソースの時間多重化表現９００の１つの例を図示する。この例において、同一周波数は、ＩＡＢノードによるバックホールＰＲＡＣＨ ９２０、及び、例えば、ＩＡＢノードまたはＵＥノードによるアクセスＰＲＡＣＨ ９３０のいずれのためにも使用される。例示されているように、この例において、アクセスリンクランダムアクセスリソース９３０とバックホールリンクランダムアクセスリソース９２０との「共有」は、バックホールＰＲＡＣＨを支援する必要が少ないことにより、非定期的な時間スロット、言わば、図示されているようなスロットｉ ９１０及びスロット（ｉ＋４）９１２を共有することにも制限される。
【００９７】
この第２直交多重化例の１つの利点は、さらなるリソースが、バックホールＰＲＡＣＨに必要ではないというところである。しかし、一部インスタンスにおいて、アクセスＰＲＡＣＨが生成されうるということが予想される。
【００９８】
図１０は、本開示の例による、第３直交多重化例表現１０００を図示する。第３直交多重化例表現１０００は、アクセスリンク及びバックホールリンクのランダムアクセスリソースの時間多重化をさらに採用する。この例において、同一周波数は、ＩＡＢノードによるバックホールＰＲＡＣＨ １０２０、及び、例えば、ＩＡＢノードまたはＵＥノードによるアクセスＰＲＡＣＨ １０３０のいずれのためにも、さらに使用される。例示されているように、この例において、アクセスリンクランダムアクセスリソース１０３０とバックホールリンクランダムアクセスリソース１０２０との「共有」は、アクセスリンクランダムアクセスリソース１０３０に割り当てられる特定使用のための個別時間スロット、言わば、スロットｉ １０１０、スロット（ｉ＋２）１０１４及びスロット（ｉ＋４）１０１８の割り当てにも制限される。一方、スロット（ｉ＋１）１０１２とスロット（ｉ＋５）１０１９は、図示されているように、バックホールリンクランダムアクセスリソース１０２０に割り当てられる。さらに、バックホールＰＲＡＣＨを支援する必要性がそれほど頻煩ではないことにより、さらに少ないバックホールリンクランダムアクセスリソース１０２０が割り当てられる。しかし、図１０の接近法において理解されるように、時間ドメイン多重化は、アクセスＰＲＡＣＨに対する中断なしにも成就される。しかし、さらなるリソースは、必要である。
【００９９】
一部例において、柔軟性とリソース効率とのある程度の均衡を成就するために、第１直交多重化例接近法と、第２直交多重化例接近法または第３直交多重化例接近法との組み合わせが採用されうるということが予想される。
【０１００】
図１１をここで参照するならば、本開示の一部例による、他の追加表現１１００が、キャリア帯域幅部分（ＢＷＰ）に係わるアクセスリンク及びバックホールリンクのランダムアクセスリソースの直交時間多重化のために例示される。この例において、ＰＲＡＣＨの分離は、ＢＷＰ基盤で遂行される。例えば、アクセスリンク及びバックホールリンクのランダムアクセスリソースのこの直交時間多重化は、ＵＥが、例えば、消費電力または複雑度の制約条件により、特定時間に１つのＢＷＰのみを活性化することができれば、特に、有用である。しかし、ＩＡＢノードの場合、それら制約条件は、除去されうる。そのために、ＩＡＢノードは、制約条件が少なく／制約条件なしに、バックホールＰＲＡＣＨリソース１１４０を割り当てられうる。この例において、全体ＢＷＰを活性化する必要がないが、ＩＡＢノードに対するそれぞれのＰＲＡＣＨ割り当ては、図１１に図示されているように、アクセスリンクランダムアクセスリソース１１３０に対するＵＥアクティブＢＷＰＰＲＡＣＨ割り当てからの第２の、異なるＢＷＰ １１５０と比較し、第１ ＢＷＰ １１４０によっても構成される。
【０１０１】
この例において、アクセスリンク及びバックホールリンクのランダムアクセスリソースのそれぞれの直交時間多重化のために使用されるスロットは、別個に区別可能なものとして残っている。
【０１０２】
一部例において、多数のＲＡＣＨパラメータセットは、アクセスリンク及びバックホールリンクＰＲＡＣＨが、同一ＢＷＰで構成されれば、アクセスリンク及びバックホールリンクのランダムアクセスリソースの直交時間、及び／または周波数多重化時間のために割り当てられうるということが予想される。しかし、ＲＡＣＨパラメータが、ＢＷＰごとに構成されるので、同一ＢＷＰにおいて、多数のＲＡＣＨパラメータセットを有する必要がなく、従って、ＲＲＣにおいて、システム情報を拡張する必要がないが、ネットワークがそれぞれのＢＷＰに対し、１つのＲＡＣＨパラメータセットを構成することができるためである。
【０１０３】
図１２をここで参照するならば、本開示の一部例示的な実施形態により、ＵＥ手続きの単純化されたフローチャート１２００が例示される。フローチャート１２００は、ＵＥがブロードキャストシステム情報ブロック（ＳＩＢ：system information blocks）を読み取ることにより、１２０２において始まる。１２０４において、ＵＥは、ＳＩＢが、多数のＲＡＣＨ構成を示すか否かということを決定する。１２０４において、ＳＩＢが、多数のＲＡＣＨ構成を示さないとＵＥが決定すれば、デフォルトＲＡＣＨ構成が１２１０で使用され、フローチャートは、その次に１２０８にジャンプする。１２０４で、ＳＩＢが、多数のＲＡＣＨ構成を示すとＵＥが決定すれば、ＵＥは、１２０６において、最初ＲＡＣＨ構成またはデフォルトＲＡＣＨ構成を使用する。その後、１２０８において、ＵＥは、必要により、そして必要時、最初ＲＡＣＨ構成またはデフォルトＲＡＣＨ構成を使用し、ＲＡＣＨ動作を遂行する。
【０１０４】
図１３をここで参照するならば、本開示の一部例示的な実施形態により、ＩＡＢノード（例えば、５Ｇ基地局（ｇＮＢ））手続きのための第１方法の単純化されたフローチャート１３００が例示される。フローチャート１３００は、ＩＡＢノードが、ブロードキャストシステム情報ブロック（ＳＩＢ）を読み取ることにより、１３０２において始まる。１３０４において、ＩＡＢノードは、デフォルトＲＡＣＨ構成を使用する。１３０６において、ＩＡＢノードは、多数のＲＡＣＨ構成が使用されるか否かということを決定する。１３０６において、ＩＡＢノードが、多数のＲＡＣＨ構成が使用されると決定すれば、ＩＡＢノードに対し、ＲＡＣＨ構成を使用する。その後、１３０８において、ＩＡＢノードは、必要により、そして必要時、ＲＡＣＨ構成を使用し、ＲＡＣＨ動作を遂行する。しかし、１３０６において、ＩＡＢノードが、多数のＲＡＣＨ構成が使用されないと決定すれば、フローチャートは、１３０８にジャンプする。
【０１０５】
図１４をここで参照するならば、本開示の一部例示的な実施形態により、ＩＡＢノード手続きのための第２方法の単純化されたフローチャート１４００が例示される。フローチャート１４００は、ＩＡＢノードが、ブロードキャストシステム情報ブロック（ＳＩＢ）を読み取ることにより、１４０２において始まる。１４０４において、ＩＡＢノードは、ＳＩＢが多数のＲＡＣＨ構成を示すか否かということを決定する。１４０４において、ＳＩＢが多数のＲＡＣＨ構成を示さないとＩＡＢノードが決定すれば、デフォルトＲＡＣＨ構成が１４０６で使用され、フローチャートは、１４１０にジャンプする。１４０４において、ＩＡＢノードが、ＳＩＢが、多数のＲＡＣＨ構成を示すと決定すれば、ＲＡＣＨ構成を、ＩＡＢノードのために使用する。その後、１４１０において、ＩＡＢノードは、必要により、そして必要時、ＲＡＣＨ構成を使用し、ＲＡＣＨ動作を遂行する。
【０１０６】
特に、前述の発明的概念は、前述の動作において、任意の動作を遂行するように構成される信号プロセッサを含む任意の集積回路に、半導体業者によって適用されうるということが予想される。さらに、発明的概念は、無線分配のために、信号を構成、プロセッシング、エンコーディング及び／またはデコーディングすることができる任意の回路にも適用される。例えば、半導体業体は、自立型デバイス、言わば、デジタル信号プロセッサ、または注文型集積回路（ＡＳＩＣ：application-specific integrated circuit）及び／または任意の他サブシステムエレメントの設計において、発明的概念を採用することができるということがさらに予想される。
【０１０７】
明瞭さの目的で、前述のところは、異なる機能的ユニット及びプロセッサを参照し、本開示の実施形態について説明したということが理解されるであろう。しかし、例えば、信号プロセッサに係わる異なる機能性ユニット、またはプロセッサ間の機能の任意の適する配分が、本開示を損傷させることなしに使用されうるということが明白であろう。例えば、別個のプロセッサまたは制御器によって遂行されるように例示された機能性は、同一プロセッサまたは制御器によっても遂行される。それゆえに、特定機能的ユニットに係わる参照は、厳格な論理的または物理的な構造または組織を示すのではなく、説明された機能性を提供する適する手段に係わる参照としてのみ理解される。
【０１０８】
本開示の様態は、ハードウェア、ソフトウェア、ファームウェア、またはそれらの任意の組み合わせを含む任意の適する形態によっても具現される。本開示は、少なくとも部分的には、１以上のデータプロセッサ、及び／またはデジタル信号プロセッサまたはＦＰＧＡデバイスのような構成可能なモジュールコンポーネント上で実行されているコンピュータソフトウェアとして、オプション的にも具現される。従って、本開示の実施形態のエレメント及びコンポーネントは、任意の適する方式により、物理的、機能的及び論理的にも具現される。実際、機能性は、単一ユニット、複数のユニット、または他の機能性ユニットの部分としても具現される。
【０１０９】
本開示が一部実施形態について説明されたが、本開示で言及された特定形態に制限されると意図されるものではない。むしろ、本開示の範囲は、添付請求項によって限定されるのである。さらには、特定実施形態について特徴が説明されるようにも見られるが、本技術分野の当業者であるならば、説明された実施形態の多様な特徴が、本開示によって結合されうるということを認識するであろう。請求項において、「含む」という用語は、他のエレメントまたは段階の存在を排除するものではない。
【０１１０】
さらに、個別的に列挙されたが、複数の手段、エレメントまたは方法段階が、例えば、単一のユニットまたはプロセッサによっても具現される。さらには、個々の特徴が異なる請求項にも含まれるが、それらは、多分に有利に結合され、異なる請求項に含まれるということは、特徴の組み合わせが、実現可能、及び／または有利ではないということを意味するものではないのである。また、請求項の１つの範疇内への特徴の包含が、該範疇への制限を意味するものではなく、むしろ、その特徴が適切であるほど、他の請求項カテゴリーに同一に適用可能であるということを示す。
【０１１１】
従って、先行技術配列体にある前述の短所が実質的に緩和された、アクセス及びバックホールのためのＲＡＣＨ使用に係わるＩＡＢノードとして機能を行うｇＮＢのような通信ユニット、及びＵＥのような端末デバイス、通信システム及び方法が説明された。
【０１１２】
一部例において、前述の概念は、３ＧＰＰＴＭ標準上において、システム情報ブロック（ＳＩＢ）内にも具現される。例えば、初期セル同期化プロセスが完了した後、ＵＥがマスター情報ブロックを読み取るであろう。その次、ＵＥは、セルアクセス、ＳＩＢスケジューリング及び無線リソース構成に係わる有用な情報を獲得するために、ＳＩＢ１及びＳＩＢ２を読み取ることができる。ＳＩＢ２は、全てのＵＥに共通するランダムアクセスチャネル（ＲＡＣＨ）関連パラメータを含む無線リソース構成情報を運搬する。それと係わり、ＩＡＢノードは、それぞれ、ＵＥ、及び１以上の他のＩＡＢノードのいずれについても、２つの異なるＲＡＣＨパラメータセットを構成することができることが可能ではない。
【０１１３】
多数のＲＡＣＨパラメータセットを構成することを可能にするために、ＲＲＣにおけるＲＡＣＨ構成情報エレメント（ＩＥ）、言わば、ＲＡＣＨ−ConfigCommon、ＲＡＣＨ−ConfigGeneric、ＲＡＣＨ−ConfigDedicatedは、多数のパラメータセットをカバーするためにも拡張される。フラグ、例えば、ＲＡＣＨ−ＩＡＢが、さらなる情報エレメント（ＩＥ）、またはパラメータがＩＡＢ ＲＡＣＨに対して定義されることを示すために追加されなければならない。本開示の一部例において、それを成就するために、次の三種方法が提案される：
【０１１４】
（ｉ）新たなＲＲＣ ＩＥを定義する；
（ｉｉ）異なるＲＡＣＨセッティングを構成するために新たなパラメータを追加する；
（ｉｉｉ）異なるＲＡＣＨ構成を考慮し、現在パラメータの値範囲を拡張させる。
【０１１５】
同一リソースが、アクセス及びバックホールのいずれにも割り当てられることをＵＥが発見すれば、アクセスＰＲＡＣＨが、バックホールＰＲＡＣＨによってパンクチャリングされると仮定することができる。このＵＥ決定の一例が以下におけて例示されるが、そこにおいて、新たなパラメータがイタリック体で太く強調される。
【０１１６】
【数２】
2021533706.tif 000005
【０１１７】
−−ＡＳＮ１ＳＴＡＲＴ
−−ＴＡＧ−ＲＡＣＨ−ＣＯＮＦＩＧ−ＣＯＭＭＯＮ−ＳＴＡＲＴ
【０１１８】
【表２】
2021533706.tif 000006
【０１１９】
【表３】
2021533706.tif 000007
【０１２０】
【表４】
2021533706.tif 000008
【０１２１】
【表５】
2021533706.tif 000009
【０１２２】
【表６】
2021533706.tif 000010
【０１２３】
【表７】
2021533706.tif 000011
【０１２４】
【表８】
2021533706.tif 000012
【０１２５】
以上の例において、２つのＲＡＣＨ−ConfigGenericＩＥが構成される。代案として、ただ１つのＲＡＣＨ−ConfigGenericＩＥだけが、下記のようにも構成されるということが予想される。一部例において、電力ランピングに係わるパラメータは、必要であるならば、さらに拡張されうるが、ＩＡＢノードがさらに高い送信電力を支援することができ（ｐ１及びｐ２に基づく新たな範囲が定義されうる）、従って、さらに大きいランピング段階を支援することができる。一部例において、第２パラメータセットは、オプション的であり、特定のシナリオによって構成され、例えば、ＩＡＢノードランダムアクセスが必要である。一部例において、ＲＡ応答ウィンドウは、ＩＡＢノードに対してさらに大きい値を含むようにさらに拡張され、強調された（太字及びイタリック体である）部分は、例に過ぎない：
【０１２６】
【数３】
2021533706.tif 000013
−−ＡＳＮ１ＳＴＡＲＴ
−−ＴＡＧ−ＲＡＣＨ−ＣＯＮＦＩＧ−ＧＥＮＥＲＩＣ−ＳＴＡＲＴ
【数４】
2021533706.tif 000014
prach-ConfigurationIndex          INTEGER (0..255),
prach-ConfigurationIndexIAB      INTEGER (0..255),
msg1-FDM                          ENUMERATED {one, two, four, eight},
msg1-FDMIAB                      ENUMERATED {one, two, four, eight} OPTIONAL,
msg1-FrequencyStart              INTEGER (0..maxNrofPhysicalResourceBlocks-1),
msg1-FrequencyStart1              INTEGER (0..maxNrofPhysicalResourceBlocks-1) OPTIONAL,
zeroCorrelationZoneConfig        INTEGER(0..15),
zeroCorrelationZoneConfigIAB      INTEGER(0..15) OPTIONAL,
preambleReceivedTargetPower      INTEGER (-202..-60),
preambleReceivedTargetPowerIAB    INTEGER (-p1..-p2) OPTIONAL,
【数５】
2021533706.tif 000015
...
}
−−ＴＡＧ−ＲＡＣＨ−ＣＯＮＦＩＧ−ＧＥＮＥＲＩＣ−ＳＴＯＰ
−−ＡＳＮ１ＳＴＯＰ
【０１２７】
従来技術ＬＴＥシステムにおいて、ＰＲＳは、常時単独で送信されるが、高い優先順位であり、多重化が不可能であるためである。本開示の実施形態は、ＰＲＳと、データ及び／または他の基準信号との多重化を許容して容易にする。
【０１２８】
多数のＰＲＳアンテナポートが１つのＵＥに構成されれば、それらアンテナポートは、干渉を減らし、可聴力を保証するために、互いに直交されなければならない。本出願において、可聴力は、検出される信号の能力を記述する。データ（例えば、ＵＲＬＬＣデータ）とのＰＲＳ多重化は、次の２つのレベルで解決されうる：
【０１２９】
１）ＲＢのうち一部がＰＲＳに割り当てられるＲＢレベル、及び
２）ＰＲＳがＰＲＳに割り当てられたＲＢ内のデータと多重化されうるＲＢ内のサブキャリアレベル。
【０１３０】
オプション１）を先に扱えば、ＵＥの可聴力を改善させるために、データが干渉を減らすために、ＰＲＳによって送信されない可能性がある。それは、ｇＮＢスケジューリングによって管理されうる。そのような場合、セル特定及びＵＥ特定のＰＲＳ構成は、ほとんど差がないが、それらのシグナリングオーバーヘッドが類似しているためである。ＰＲＳ ＲＢは、全体帯域幅において、中間、エッジ、またはある事前に定義されたポジションにも配置される。
【０１３１】
しかし、５Ｇは、ＵＲＬＬＣデータを支援する必要があり、それは、極めて低いレイテンシを要求し、従って、ｇＮＢスケジューリングに一部制約条件を賦課することができる。次の異なる２つの接近法がある：１）ＵＲＬＬＣリソースがデータスケジューリング前に予約される予約基盤スケジューリング、及び２）任意の進行中であるデータ送信が、ＵＲＬＬＣパケットを開始するために中断される瞬時（instant）スケジューリング。次の代案が予約基盤スケジューリングのためにも考慮される。
【０１３２】
−１：ＵＲＬＬＣに係わるリソース、またはそれらリソースを含むサブフレーム／スロット／ミニスロットは、ＰＲＳ、例えば、開始地点及び持続期間を含むＰＲＳ周期を構成するときに回避されなければならない。ＵＲＬＬＣリソースの情報は、ポジショニングプロトコル、例えば、ＬＰＰに伝達して知らされなければならない。
【０１３３】
−２：ＵＲＬＬＣのためのリソース、またはそれらリソースを含むサブフレーム／スロット／ミニスロットは、ＰＲＳを考慮せずにスケジューリングされ、それらは、ＰＲＳが構成されれば、ＵＲＬＬＣリソースを含むサブフレーム／スロット／ミニスロットにおいて、データが送信されないことを保証するために、次の利用可能なサブフレーム／スロット／ミニスロットにシフトされるか、あるいはパンクチャリングされるのである。
【０１３４】
本出願において、フレーム／サブフレーム／スロット／ミニスロットが参照される。それらは、いずれも時間的な分割であり、異なる期間を示す。
【０１３５】
前述の代案１は、ＵＲＬＬＣデータの優先順位レベルが、ポジショニング要請より高い場合にも適用される。しかし、ポジショニング要請が、応急によってトリガされもするために、潜在的に高い優先順位レベルを有することができる。そのような場合、代案２が使用されうる。それら２つの代案は、異なる優先順位レベルでもって、ポジショニング要請を扱うようにも結合される。
【０１３６】
瞬時スケジューリングの場合、進行中であるＰＲＳ送信は、ＵＲＬＬＣパケットによって中断され、次の解法が考慮されなければならない：
【０１３７】
−１：進行中であるＰＲＳ送信は、ＵＲＬＬＣパケットが開始されるサブフレーム／スロット／ミニスロットにおいて中止され、それは、ＤＣＩによってＵＥにシグナリングされる；
【０１３８】
−２：ＵＲＬＬＣパケットは、最後のＰＲＳ送信後の最初サブフレーム／スロット／ミニスロットから開始されるか、あるいはパンクチャリングされる。
【０１３９】
前述の代案１は、ＵＲＬＬＣデータの優先順位レベルが、ポジショニング要請より高い場合にも適用され、そうではなければ、代案２が使用されうる。
【０１４０】
ＮＲで支援されるさらに広い帯域幅を考慮すれば、ＰＲＳを含み、サブフレーム／スロット／ミニスロットにおいて、任意のデータを送信することは、非常な浪費あろう。そのような場合、ＰＲＳは、サブ帯域によっても構成され、その部分残りは、データ送信のためにも使用される。次の代案が考慮されうる：
【０１４１】
−１：ＰＲＳ ＲＢは、図１５（ａ）に図示されているように、両側にガード帯域がある中間周囲にある。そのような場合、ガード帯域の数は、事前に定義されるか、あるいは上部階層によっても構成される；
【０１４２】
−２：ＰＲＳ ＲＢは、図１５（ｂ）に図示されているようなガード帯域がある２つのエッジ上にある。そのような場合、周波数ダイバシティ利得から利益を得ることができる；
【０１４３】
−３：ＰＲＳ ＲＢは、図１５（ｃ）に図示されているように、１つのエッジ上にある。そのような場合、１つのガード帯域だけが必要であり、容量損失は、低減される。
【０１４４】
前述の３つの代案は、結合され、どれが使用されるかということは、上部階層によっても構成される。
【０１４５】
図１５において、時間がｘ軸にあり、周波数がｙ軸にあり、図１５（ａ），（ｂ）及び（ｃ）は、同時送信を独立して示すということに留意する。ガード帯域の使用は、ＰＲＳと、同時に送信されるデータとの（周波数における）適切な分離を保証するためのものである。
【０１４６】
ＵＥの可聴力を改善させるために、ＰＲＳは、１つのＲＢ内のＲＥレベルにおいて、データと多重化されてはならない。
【０１４７】
ＰＲＳと、他の基準信号を多重化することが可能である。ＤＭＲＳとＰＴＲＳは、データ復調目的のみに使用される。ＰＲＳが送信されるとき、データが送信されなければ、ＰＲＳ及びＤＭＲＳ／ＰＴＲＳの多重化を考慮する必要がない。データが送信されるならば、次の代案が考慮されうる：
【０１４８】
−１：ＰＲＳパターンは、ＤＭＲＳが図１６Ａに図示されているように、潜在的に構成されうる場合、シンボルを回避するように設計される。さらなるＤＭＲＳ及びＰＴＲＳの場合、ＰＲＳは、パンクチャリングされうる。そのような脈絡において、ＰＲＳは、そうではなく、ＰＴＲＳまたはＤＭＲＳと一致しない場合、パンクチャリングされる；
【０１４９】
−２：ＤＭＲＳ／ＰＴＲＳは、ＰＲＳの受信を保証するために、ＰＲＳと衝突するとき、１または多数のＲＥまたはシンボルによってパンクチャリング／シフトされる；
【０１５０】
−３：ＰＲＳは、ＤＭＲＳ／ＰＴＲＳと衝突するとき、１または多数のＲＥまたはシンボルによってシフトされる。そうではなく、パンクチャリングされる（図１６Ａと同様である）ＰＲＳが、隣接（または、多分に異なる）ＲＥにシフトされ、ＰＲＳ送信の周波数が維持されるようにする場合が図１６Ｂに図示される。
【０１５１】
図１６Ａ及び図１６Ｂにおいて、ｘ軸は、ＯＦＤＭシンボルインデックス（ｋ＝０−１３）を示し、ｙ軸は、サブキャリア（ｌ＝０−１１）を示す。図１６Ａ及び図１６Ｂにおいて、制御情報は、最初３個のシンボル（ｋ＝０−２）に一般的に含まれ、従って、それらは、利用可能ではない。
【０１５２】
ＰＲＳとＣＳＩ−ＲＳとを多重化することがさらに可能である。ＣＳＩ−ＲＳは、チャネル状態情報（ＣＳＩ）を取得するのに使用され、データ送信がないときにも、ＣＳＩは、必要でもある。２つの代案が、次のようにも考慮される。
【０１５３】
−１：ＣＳＩ−ＲＳは、ＰＲＳと衝突するとき、１または多数のＲＥまたはシンボルによってパンクチャリング／シフトされる；
【０１５４】
−２：ＰＲＳは、ＣＳＩ−ＲＳと衝突するとき、１または多数のＲＥまたはシンボルによってパンクチャリング／シフトされる。
【０１５５】
代案１の場合、ポジショニング要請は、ＣＳＩ取得より高い優先順位レベルを有し、代案２の場合、そうではない。ＣＳＩ−ＲＳパンクチャリングは、ＣＳＩ−ＲＳの類型にさらに依存しうる。例えば、ＰＲＳと衝突するとき、周期的ＣＳＩ−ＲＳがパンクチャリングされうるが、非周期的ＣＳＩ−ＲＳの場合、ＰＲＳが代わりにパンクチャリングされるのである。
【０１５６】
ＬＴＥにおいて、ＰＳＳ／ＳＳＳ／ＰＢＣＨ及びＰＲＳのいずれも、周波数の中心周囲に構成され、ＰＲＳは、ＰＳＳ／ＳＳＳ／ＰＢＣＨと共に、サブフレームにおいて構成されず、それは、ＰＲＳサブフレームのオフセットを構成することによっても成就される。しかし、ＮＲにおいて、ＰＳＳ／ＳＳＳ／ＰＢＣＨは、周波数の中心周囲に必ずしも位置されるものではない。そのために、ＰＲＳは、図１７に図示されているように、周波数ドメインにおいて、ＰＳＳ／ＳＳＳ／ＰＢＣＨと多重化され、次の代案が可能である：
【０１５７】
−１：ＰＳＳ／ＳＳＳ／ＰＢＣＨとＰＲＳとの間に事前に定義されたオフセット；
【０１５８】
−２：上部階層、例えば、ＬＰＰ／ＲＲＣにより、明示的に構成されうるＰＳＳ／ＳＳＳ／ＰＢＣＨとＰＲＳとのオフセット；
【０１５９】
−３：オフセットは、セル特定パラメータ、例えば、セルＩＤ、及び／またはＵＥ特定パラメータ、例えば、ＲＮＴＩから暗示的に導き出されうる。
【０１６０】
該オフセットは、ＰＲＳ及びＰＳＳ／ＳＳＳ／ＰＢＣＨが同時に送信されるが、信号のうち一つは、衝突を避けるために、周波数がシフトされる効果がある。
【０１６１】
いったんデータ、または他の基準信号がブランキング／パンクチャリングされるならば、電力は、可聴力を改善させるために、ＰＲＳの電力をブースティングするのに使用されうる。ただ１つのＰＲＳアンテナポートだけがあれば、全ての電力は、このアンテナポートに割り当てられうる。しかし、一つを超えるアンテナポートがＰＲＳ送信のために構成されれば、電力は、それらアンテナポート間で分割されうる。電力ブースティングの比率は、ＳＳＢに対するＥＰＲＥ（energy per resource element）の比率としても定義され、事前に定義されたり、上部階層によって構成されたり、ブランキング／パンクチャリングされたＲＥから暗示的にも導き出されたりする。
【０１６２】
図１８は、本開示の他の実施形態による、ユーザ装備の構造を例示するブロック図である。
【０１６３】
プロセッサ１８１０は、提案された機能、プロセス及び／または方法を制御する１以上のプロセッサ、または他のプロセッシングデバイスを含んでもよい。ユーザ装備１８００の動作は、プロセッサ１８１０によっても具現される。
【０１６４】
プロセッサ１８１０は、統合アクセス及びバックホール通信システムにおいて、ランダムアクセスすることができる。プロセッサ１８１０は、ブロードキャストシステム情報ブロックを読み取り、ＳＩＢが多数のＲＡＣＨ構成を示すか否かということを決定することができる。その決定の結果として、プロセッサ１８１０は、最初ＲＡＣＨ構成またはデフォルトＲＡＣＨ構成を使用するか、あるいはデフォルトＲＡＣＨ構成を使用することができる。また、プロセッサ１８１０は、必要時、ＲＡＣＨを遂行することができる。
【０１６５】
トランシーバ１８２０は、送信される信号をアップコンバーティング及び増幅するＲＦ送信器と、受信された信号の周波数をダウンコンバーティングするＲＦ受信器と、を含んでもよい。しかし、他の実施形態によれば、トランシーバ１８２０は、構成要素に図示されたものよりさらに多かったり、さらに少なかったりする構成要素によっても具現される。
【０１６６】
トランシーバ１８２０は、プロセッサ１８１０に連結され、かつ／または信号を送信及び／または受信することができる。その信号は、制御情報とデータとを含んでもよい。また、トランシーバ１８２０は、信号を無線チャネルを介して受信し、信号をプロセッサ１８１０に出力することができる。トランシーバ１８２０は、プロセッサ１８１０から出力された信号を無線チャネルを介して送信することができる。
【０１６７】
メモリ１８３０は、デバイス１８００によって獲得された信号に含まれる制御情報またはデータを保存することができる。メモリ１８３０は、プロセッサ１８１０に連結され、提案された機能、プロセス及び／または方法のための少なくとも１つの命令、プロトコルまたはパラメータを保存することができる。メモリ１８３０は、ＲＯＭ（read only memory）及び／またはＲＡＭ（random access memory）及び／またはハードディスク及び／またはＣＤ−ＲＯＭ（compact disc read only memory）及び／またはＤＶＤ（digital versatile disc）、及び／または他の保存デバイスを含んでもよい。
【０１６８】
図１９は、本開示の他の実施形態による、基地局の構造を例示するブロック図である。
【０１６９】
図１９を参照すれば、基地局１９００は、プロセッサ１９１０、トランシーバ１９２０及びメモリ１９３０を含んでもよい。しかし、例示された構成要素のいずれもが必須であるわけではない。デバイス１９００は、図１９に例示されたところよりもさらに多いか、ありはさらに少ないコンポーネントによっても具現される。さらには、プロセッサ１９１０、トランシーバ１９２０及びメモリ１９３０は、他の実施形態により、単一チップとしても具現される。
【０１７０】
前述の構成要素について、さらに詳細に説明される。
【０１７１】
プロセッサ１９１０は、提案された機能、プロセス及び／または方法を制御する１以上のプロセッサ、または他のプロセッシングデバイスを含んでもよい。デバイス１９００の動作は、プロセッサ１９１０によっても具現される。
【０１７２】
トランシーバ１９２０は、送信される信号をアップコンバーティング及び増幅するＲＦ送信器と、受信された信号の周波数をダウンコンバーティングするＲＦ受信器と、を含んでもよい。しかし、他の実施形態によれば、トランシーバ１９２０は、構成要素に図示されたところよりもさらに多いか、あるいはさらに少ない構成要素によっても具現される。
【０１７３】
トランシーバ１９２０は、プロセッサ１９１０に連結され、かつ／または信号を送信及び／または受信することができる。その信号は、制御情報とデータとを含んでもよい。また、トランシーバ１９２０は、信号を無線チャネルを介して受信し、該信号をプロセッサ１９１０に出力することができる。トランシーバ１９２０は、プロセッサ１９１０から出力された信号を、無線チャネルを介して送信することができる。
【０１７４】
メモリ１９３０は、デバイス１９００によって獲得された信号に含まれる制御情報またはデータを保存することができる。メモリ１９３０は、プロセッサ１９１０に連結され、提案された機能、プロセス及び／または方法のための少なくとも１つの命令、プロトコルまたはパラメータを保存することができる。メモリ１９３０は、ＲＯＭ及び／またはＲＡＭ及び／またはハードディスク及び／またはＣＤ−ＲＯＭ及び／またはＤＶＤ及び／または他の保存デバイスを含んでもよい。
【符号の説明】
【０１７５】
1810  プロセッサ
1820  トランシーバ
1830  メモリ
1910  プロセッサ
1920  トランシーバ
1930  メモリ
【図１】
2021533706.tif 000016
【図２】
2021533706.tif 000017
【図３】
2021533706.tif 000018
【図４】
2021533706.tif 000019
【図５】
2021533706.tif 000020
【図６】
2021533706.tif 000021
【図７】
2021533706.tif 000022
【図８】
2021533706.tif 000023
【図９】
2021533706.tif 000024
【図１０】
2021533706.tif 000025
【図１１】
2021533706.tif 000026
【図１２】
2021533706.tif 000027
【図１３】
2021533706.tif 000028
【図１４】
2021533706.tif 000029
【図１５】
2021533706.tif 000030
【図１６Ａ】
2021533706.tif 000031
【図１６Ｂ】
2021533706.tif 000032
【図１７】
2021533706.tif 000033
【図１８】
2021533706.tif 000034
【図１９】
2021533706.tif 000035
【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
無線通信システムにおける総合アクセス及びバックホール（ＩＡＢ）ノードの動作方法において、
バックホールランダムアクセスチャネル（ＲＡＣＨ）資源を識別する段階と、
前記バックホールＲＡＣＨ資源に基づいて信号を送信する段階と、を含み、
前記バックホールＲＡＣＨ資源は、アクセスＲＡＣＨ資源と異なる時間または周波数の設定（configurations）、異なるＲＡＣＨ周期、または異なるプリアンブルフォーマットのうち少なくとも一つによって構成されるものである、方法。
【請求項２】
前記バックホールＲＡＣＨ資源のＲＡＣＨ周期は、前記アクセスＲＡＣＨ資源の周期より長いことを特徴とする請求項１に記載の方法。
【請求項３】
前記バックホールＲＡＣＨ資源の時間設定は、時分割多重化（ＴＤＭ）と係わり、
前記アクセスＲＡＣＨ資源の時間設定は、前記バックホールＲＡＣＨ資源の時間設定のためのオフセットが設定されることを特徴とする請求項１に記載の方法。
【請求項４】
前記バックホールＲＡＣＨ資源のプリアンブルフォーマットは、前記アクセスＲＡＣＨ資源のプリアンブルフォーマットよりさらに長い距離のために利用されるものである、請求項１に記載の方法。
【請求項５】
無線通信システムにおける総合アクセス及びバックホール（ＩＡＢ）ノードにおいて、
送受信部と、
前記送受信部と連結された少なくとも１つのプロセッサと、を含み、
前記少なくとも１つのプロセッサは、
バックホールランダムアクセスチャネル（ＲＡＣＨ）資源を識別し、
前記バックホールＲＡＣＨ資源に基づいて信号を送信し、
前記バックホールＲＡＣＨ資源は、アクセスＲＡＣＨ資源と異なる時間または周波数の設定（configurations）、異なるＲＡＣＨ周期、または異なるプリアンブルフォーマットのうち少なくとも一つによって構成されるものである、ＩＡＢノード。
【請求項６】
前記バックホールＲＡＣＨ資源のＲＡＣＨ周期は、前記アクセスＲＡＣＨ資源の周期より長いことを特徴とする請求項５に記載のＩＡＢノード。
【請求項７】
前記バックホールＲＡＣＨ資源の時間設定は、時分割多重化（ＴＤＭ）と係わり、
前記アクセスＲＡＣＨ資源の時間設定は、前記バックホールＲＡＣＨ資源の時間設定のためのオフセットが設定されることを特徴とする請求項５に記載のＩＡＢノード。
【請求項８】
前記バックホールＲＡＣＨ資源のプリアンブルフォーマットは、前記アクセスＲＡＣＨ資源のプリアンブルフォーマットよりさらに長い距離のために利用されるものである、請求項５に記載のＩＡＢノード。
【請求項９】
無線通信システムにおける端末の動作方法において、
アクセスランダムアクセスチャネル（ＲＡＣＨ）資源を識別する段階と、
前記アクセスＲＡＣＨ資源に基づいて信号を送信する段階と、を含み、
前記アクセスＲＡＣＨ資源は、バックホールＲＡＣＨ資源と異なる時間または周波数の設定（configurations）、異なるＲＡＣＨ周期、または異なるプリアンブルフォーマットのうち少なくとも一つによって構成されるものである、方法。
【請求項１０】
前記バックホールＲＡＣＨ資源のＲＡＣＨ周期は、前記アクセスＲＡＣＨ資源の周期より長いことを特徴とする請求項９に記載の方法。
【請求項１１】
前記バックホールＲＡＣＨ資源の時間設定は、時分割多重化（ＴＤＭ）と係わり、
前記アクセスＲＡＣＨ資源の時間設定は、前記バックホールＲＡＣＨ資源の時間設定のためのオフセットが設定されることを特徴とする請求項９に記載の方法。
【請求項１２】
前記バックホールＲＡＣＨ資源のプリアンブルフォーマットは、前記アクセスＲＡＣＨ資源のプリアンブルフォーマットよりさらに長い距離のために利用されるものである、請求項９に記載の方法。
【請求項１３】
無線通信システムにおける端末において、
送受信部と、
前記送受信部と連結された少なくとも１つのプロセッサと、を含み、
前記少なくとも１つのプロセッサは、
アクセスランダムアクセスチャネル（ＲＡＣＨ）資源を識別し、
前記アクセスＲＡＣＨ資源に基づいて信号を送信し、
バックホールＲＡＣＨ資源は、アクセスＲＡＣＨ資源と異なる時間または周波数の設定（configurations）、異なるＲＡＣＨ周期、または異なるプリアンブルフォーマットのうち少なくとも一つによって構成されるものである、端末。
【請求項１４】
前記バックホールＲＡＣＨ資源のＲＡＣＨ周期は、前記アクセスＲＡＣＨ資源の周期より長いことを特徴とする請求項１３に記載の端末。
【請求項１５】
前記バックホールＲＡＣＨ資源の時間設定は、時分割多重化（ＴＤＭ）と係わり、
前記アクセスＲＡＣＨ資源の時間設定は、前記バックホールＲＡＣＨ資源の時間設定のためのオフセットが設定されることを特徴とする請求項１３に記載の端末。
【国際調査報告】
2021533706.tif 000036
2021533706.tif 000037